(57)【要約】【課題】トイレとしての使用状態と折り畳み状態との変更時の手間をできるだけ省くことができ、折り畳み状態でのバケツの収納、保管の場所を確保することができ、かつ折り畳み状態で自立することができる折り畳み可能なポータブルトイレを提供すること。【解決手段】ポータブルトイレ１０は、脚体部１１とトイレ本体部４０とを備える。脚体部１１は、開脚状態から閉脚状態へ折り畳み可能である。トイレ本体部４０は、脚体部４０に回動可能に支持されており、当該回動により、開脚状態では、受け部６０がバケツを受けるようにトイレ本体部４０が横向きに配置され、かつ閉脚状態では、受け部６０がバケツを受けるようにトイレ本体部４０が縦向きに配置される。脚体部１１の折り畳みの際に、バケツを受け部６０により受けている状態でのトイレ本体部４０の回動経路が確保されており、かつ閉脚状態において、前脚部１２と後脚部１３とで自立可能である。【選択図】図１
2018019780.tif 000002
【特許請求の範囲】
【請求項１】
左右一対の前脚部と、左右一対の後脚部とを有する脚体部と、
バケツを受けることが可能な受け部と、前記受け部の上方に配置される便座とを有するトイレ本体部と、
を備え、
前記脚体部は、前記前脚部の下部と前記後脚部の下部とが離間した開脚状態から、前記前脚部の下部と前記後脚部の下部とが接近した閉脚状態へ折り畳み可能であり、
前記トイレ本体部は、前記脚体部に対して回動可能に支持されており、当該回動により、前記開脚状態では、前記受け部が前記バケツの開口部を上方に向けた状態で前記バケツを受けるように前記トイレ本体部が横向きに配置され、かつ前記閉脚状態では、前記受け部が前記バケツの開口部を前後いずれかに向けた状態で前記バケツを受けるように前記トイレ本体部が縦向きに配置され、
前記脚体部の折り畳みの際に、前記バケツを前記受け部により受けている状態での前記トイレ本体部の回動経路が確保されており、かつ前記閉脚状態において、前記前脚部と前記後脚部とで自立可能であることを特徴とするポータブルトイレ。
【請求項２】
前記開脚状態において前記トイレ本体部の前記横向きの状態が保持されるように前記トイレ本体部を支持する本体支持部が設けられている、請求項１に記載のポータブルトイレ。
【請求項３】
所定の開脚状態において前記前脚部の下部と前記後脚部の下部とがそれ以上離間しないように規制する規制部が設けられている、請求項１又は２に記載のポータブルトイレ。
【請求項４】
前記開脚状態において、前記トイレ本体部の後方位置の上方に配置される背もたれ部を備え、
前記閉脚状態において、前記トイレ本体部の少なくとも一部が前記背もたれ部の下方の空間部に入り込んだ状態で前記脚体部が折り畳まれる、請求項１〜３のいずれか一項に記載のポータブルトイレ。
【請求項５】
前記閉脚状態で前記受け部が前記バケツを受けた状態を保持する保持部を備える、請求項１〜４のいずれか一項に記載のポータブルトイレ。
【請求項６】
前記保持部は、前記開脚状態から前記閉脚状態になることに伴い、前記開脚状態での位置である非保持位置から前記閉脚状態での位置である保持位置に移動することにより、前記閉脚状態で前記受け部が前記バケツを受けた状態を保持する、請求項５に記載のポータブルトイレ。
【請求項７】
前記トイレ本体部は、前記便座の上方に重ねられて前記便座を覆う座部を有し、
前記座部は、前記トイレ本体部の後方位置で上方へ回動可能に支持されており、
前記保持部は、前記閉脚状態で前記座部を、前記便座と重ねられた状態で保持する、請求項５又は６に記載のポータブルトイレ。
【請求項８】
前記保持部は、前記閉脚状態において前記座部の座面に接触する接触部を有し、
前記開脚状態から前記閉脚状態に姿勢変更する過程において、前記接触部が前記座面に沿って移動することにより前記座部を前記便座と重ねられた状態で保持する、請求項７に記載のポータブルトイレ。
【請求項９】
前記左右一対の前脚部を連結する板状の連結部が前記前脚部の下端よりも上に設けられており、
前記開脚状態において前記連結部の板面のうち前面が斜め下方に向いている、請求項１〜８のいずれか一項に記載のポータブルトイレ。
【請求項１０】
前記脚体部は、各脚の下端部に、前記開脚状態での接地面である第１接地面と、前記閉脚状態での接地面である第２接地面とを有する、請求項１〜９のいずれか一項に記載のポータブルトイレ。
【発明の詳細な説明】
【技術分野】
【０００１】
本発明は、ポータブルトイレに関し、詳しくは、開脚状態から閉脚状態に折り畳み可能なポータブルトイレに関する。
【背景技術】
【０００２】
従来、ポータブルトイレとしては、不使用時に折り畳むことが可能な折り畳み式のポータブルトイレが提案されている（例えば、特許文献１及び特許文献２参照）。特許文献１に記載のポータブルトイレは、折り畳み椅子の座部にバケツを着脱自在な構成を有しており、トイレとしての使用時には、座部にバケツを取り付けて使用される。また、トイレとして使用しないときには、バケツを取り外した後に座部を背部側に引き上げることにより、折り畳み椅子が折り畳まれた状態になる。
【０００３】
特許文献２に記載のポータブルトイレは、開脚状態では、前後左右に設けられた４本の脚で便座本体を支持し、閉脚状態では、便座本体及び前脚が、背もたれ部及び後脚に対して前後方向で重なるように、バケツを取り外した状態で折り畳まれる。特許文献２に記載のポータブルトイレは、折り畳み状態では後脚で自立する。
【先行技術文献】
【特許文献】
【０００４】
【特許文献１】特許第３４６５２２９号公報
【特許文献２】特許第５８７２００３号公報
【発明の概要】
【発明が解決しようとする課題】
【０００５】
特許文献１及び特許文献２に記載のポータブルトイレは、折り畳み状態とするときには、その都度、バケツを取り外す必要がある。また、折り畳み状態からトイレとしての使用状態にするときには、その都度、バケツをセットする必要がある。そのため、折り畳み時やトイレ使用時に使用者や介助者の手間がかかってしまう。また、トイレとして直ぐに使用可能にするために、取り外したバケツをポータブルトイレの近くに置いておこうとすると、バケツをむき出しのまま床面に載置せざるを得ない場合があり、清潔感に欠けてしまう。
【０００６】
また、折り畳まれた状態でポータブルトイレが自立しない場合、ポータブルトイレを収納、保管する際に、壁や家具等にもたれかけさせる必要がある。この場合、ポータブルトイレを収納、保管する場所が制限され、使用者が直ちにトイレを使用できない場所、例えばベッドから遠い場所にポータブルトイレを置く必要が生じることが懸念される。
【０００７】
本発明は上記課題に鑑みなされたものであり、トイレとしての使用状態と折り畳み状態との変更時の手間をできるだけ省くことができ、折り畳み状態でのバケツの収納、保管の場所を確保することができ、かつ折り畳み状態で自立することができる折り畳み可能なポータブルトイレを提供することを一つの目的とする。
【課題を解決するための手段】
【０００８】
上記課題を解決すべく、本発明のポータブルトイレは、左右一対の前脚部と、左右一対の後脚部とを有する脚体部と、バケツを受けることが可能な受け部と、前記受け部の上方に配置される便座とを有するトイレ本体部と、を備える。前記脚体部は、前記前脚部の下部と前記後脚部の下部とが離間した開脚状態から、前記前脚部の下部と前記後脚部の下部とが接近した閉脚状態へ折り畳み可能であり、前記トイレ本体部は、前記脚体部に対して回動可能に支持されており、当該回動により、前記開脚状態では、前記受け部が前記バケツの開口部を上方に向けた状態で前記バケツを受けるように前記トイレ本体部が横向きに配置され、かつ前記閉脚状態では、前記受け部が前記バケツの開口部を前後いずれかに向けた状態で前記バケツを受けるように前記トイレ本体部が縦向きに配置され、前記脚体部の折り畳みの際に、前記バケツを前記受け部により受けている状態での前記トイレ本体部の回動経路が確保されており、かつ前記閉脚状態において、前記前脚部と前記後脚部とで自立可能であることを特徴とする。
【０００９】
上記構成のポータブルトイレには、バケツを受け部により受けている状態でのトイレ本体部の回動経路が確保されているため、バケツを備えたままの状態で折り畳むことができる。したがって、トイレとしての使用状態と折り畳み状態との変更時に、いちいちバケツの取付け、取り外しを行う必要がなく、当該変更時の手間をできるだけ省くことができる。また、折り畳み状態でのバケツの収納、保管の場所を別途確保しなくて済む。さらに、閉脚状態では前脚部と後脚部とで自立することから、折り畳み状態では、バケツを備えたままの状態でも安定して自立することができる。
【００１０】
上記構成において、前記開脚状態において前記トイレ本体部の前記横向きの状態が保持されるように前記トイレ本体部を支持する本体支持部が設けられていてもよい。こうした構成によれば、トイレ本体部を回動可能にしつつ、開脚状態としたときにはトイレ本体部を横向きの状態で安定させることができる。また、トイレ使用時に使用者によってトイレ本体部に上方から力が加えられた場合にも、トイレ本体部の横向きの姿勢を安定に保持することができる。
【００１１】
上記構成において、所定の開脚状態において前記前脚部の下部と前記後脚部の下部とがそれ以上離間しないように規制する規制部が設けられていてもよい。当該規制部が設けられていることにより、脚体部の最大開脚位置を定めることができる。これにより、使用者が着座してトイレ本体部に力が掛かった場合にも、ポータブルトイレを所定の開脚状態で安定に保持することができる。
【００１２】
上記構成において、前記開脚状態において、前記トイレ本体部の後方位置の上方に配置される背もたれ部を備え、前記閉脚状態において、前記トイレ本体部の少なくとも一部が前記背もたれ部の下方の空間部に入り込んだ状態で前記脚体部が折り畳まれるものとしてもよい。こうした構成によれば、折り畳み状態では、背もたれ部の下方の空間部にトイレ本体部の少なくとも一部が入り込むため、折り畳んだ状態で前後方向の厚みをできるだけ薄くすることができ、更なるコンパクト化を図ることができる。
【００１３】
上記構成において、前記閉脚状態で前記受け部が前記バケツを受けた状態を保持する保持部を備えるものとしてもよい。この構成によれば、折り畳み状態としたときにバケツが前後方向に飛び出るのを抑制することができる。
【００１４】
前記保持部を備える構成において、前記保持部は、前記開脚状態から前記閉脚状態になることに伴い、前記開脚状態での位置である非保持位置から前記閉脚状態での位置である保持位置に移動することにより、前記閉脚状態で前記受け部が前記バケツを受けた状態を保持するものとしてもよい。この構成によれば、折り畳みの動作によって、受け部がバケツを受けた状態を保持するといった保持部の機能を発揮させることができる。これにより、使用者や介助者がわざわざ保持部を操作しなくても、折り畳み状態でバケツが前後方向に飛び出ないようにすることができる。
【００１５】
前記保持部を備える構成において、前記トイレ本体部は、前記便座の上方に重ねられて前記便座を覆う座部を有し、前記座部は、前記トイレ本体部の後方位置で上方へ回動可能に支持されており、前記保持部は、前記閉脚状態で前記座部を、前記便座と重ねられた状態で保持するものとしてもよい。こうした構成によれば、ポータブルトイレに座部が設けられているため、トイレとして機能させるだけでなく、椅子としても機能させることができる。また、座部を回動させて後方へ退避させれば、直ちにトイレとして機能させることができる。また、脚体部の閉脚状態では、座部が便座を覆った状態が保持されるため、便座やバケツの開口部が露出することなく、清潔感のある折り畳み状態とすることができる。
【００１６】
前記保持部及び前記座部を備える構成において、前記保持部は、前記閉脚状態において前記座部の座面に接触する接触部を有し、前記開脚状態から前記閉脚状態に姿勢変更する過程において、前記接触部が前記座面に沿って移動することにより前記座部を前記便座と重ねられた状態で保持するものとしてもよい。こうした構成によれば、折り畳み状態となった後だけでなく、折り畳み状態になるまでの動作中にも、座部が便座を覆った状態を保持することができる。
【００１７】
上記構成において、前記左右一対の前脚部を連結する板状の連結部が前記前脚部の下端よりも上に設けられており、前記開脚状態において前記連結部の板面のうち前面が斜め下方に向いているものとしてもよい。こうした構成とすることで、前脚部の強度を高めつつ、前脚部の下部に、より広い空間を確保することができる。これにより、トイレの使用者や介助者が後ろ方向に足を踏み入れやすくすることができる。
【００１８】
上記構成において、前記脚体部は、各脚の下端部に、前記開脚状態での接地面である第１接地面と、前記閉脚状態での接地面である第２接地面とを有するものとしてもよい。この構成によれば、トイレ使用時には、各脚の第１接地面が床面に接地されることで、使用者がトイレ本体部に体重を掛けたときの安定性を確保できる。また、折り畳み状態では、各脚の第２接地面が床面に接地されることで、ポータブルトイレが安定して自立することができる。
【図面の簡単な説明】
【００１９】
【図１】開脚状態のポータブルトイレにおいて座部を下げた状態を示す斜視図。
【図２】開脚状態のポータブルトイレにおいて座部を上げ、左側の肘掛け本体を跳ね上げた状態を示す斜視図。
【図３】開脚状態のポータブルトイレにおいて便座を上げ、バケツの蓋を取り外した状態を示す斜視図。
【図４】開脚状態のポータブルトイレにおいてバケツを取り外した状態を示す斜視図。
【図５】開脚状態のポータブルトイレにおいてトレイを取り外した状態を示す斜視図。
【図６】開脚状態のポータブルトイレにおいて収容部を取り外した状態を示す斜視図。
【図７】開脚状態のポータブルトイレの右側面図。
【図８】脚体部と本体フレームとの連結部分の拡大斜視図。
【図９】開脚状態のポータブルトイレを右斜め後方から見た斜視図。
【図１０】折り畳み状態のポータブルトイレを左斜め前方から見た斜視図。
【図１１】折り畳み状態のポータブルトイレを左斜め後方から見た斜視図。
【図１２】折り畳み状態のポータブルトイレの右側面図。
【図１３】折り畳む際の保持部と座部との位置関係の推移を示す図。
【図１４】脚体部の下端部を右側方から見た拡大図。
【図１５】脚ゴムの斜視図。
【図１６】開脚時の接地状態の推移を示す右側面図。
【発明を実施するための形態】
【００２０】
以下、本実施形態のポータブルトイレについて図面を参照しつつ説明する。なお、以下の説明では便宜上、便座に腰掛けた使用者から見た方向を基準にして前後、左右及び上下を示している。図中に示すＦ，Ｂ，Ｒ，Ｌは、それぞれ、ポータブルトイレの前方、後方、右側、左側を表す。本実施形態のポータブルトイレは、例えば介護用であり、ベッド脇等の室内に置かれて用いられる。なお、このポータブルトイレは、介護用トイレや簡易トイレ等とも称される。本実施形態のポータブルトイレは折り畳み可能であり、開脚した状態で使用され、不使用時には折り畳んでコンパクトにすることが可能である。
【００２１】
ポータブルトイレ１０は、図１〜図７に示すように、脚体部１１と、脚体部１１によって支持されるトイレ本体部４０と、を備える。以下においては、特に説明がない場合、開脚状態のポータブルトイレ１０の構成をいうものとする。
【００２２】
≪脚体部１１≫
脚体部１１は、左右一対の前脚部１２と、左右一対の後脚部１３とを備える。前脚部１２は、前方に傾斜するように形成されている。本実施形態では、前脚部１２は、木製の長尺板材からなる前脚本体２１を備えている。前脚部１２は、互いの前脚本体２１の板面を向き合わせた状態で左右に離間して配置されている。
【００２３】
前脚部１２の下端よりも上には、各前脚部１２を連結する板状の連結部２３が設けられている。連結部２３は、トイレ本体部４０の下方に配置されている。この連結部２３によって各前脚部１２が連結されることで、使用者の着座等によって前脚部１２に力が掛かった場合にも、ポータブルトイレ１０の開脚状態をより安定に保持できる。連結部２３は、ポータブルトイレ１０の開脚状態において、連結部２３の板面のうち前面２３ａが斜め下方に向き、後面２３ｂが斜め上方を向いた状態で前脚本体２１に取り付けられている。
【００２４】
前脚部１２は、高さ調整部２４を有している。高さ調整部２４は、木製の長尺板材からなり、各前脚部１２の下部に、前脚本体２１に対して着脱可能に取り付けられている。この高さ調整部２４の前脚本体２１に対する高さ方向の位置を調整することにより、トイレ本体部４０の床面からの高さを調整可能になっている。本実施形態では、前脚本体２１の下部の板面に、複数個のネジ孔２１ｃが上下に並べて所定間隔で設けられている。これら複数個のネジ孔２１ｃのいずれかに対して、高さ調整部２４の板面に形成されたネジ孔２４ａが重なるように、かつトイレ本体部４０が所望の高さになるように、高さ調整部２４を前脚本体２１の外側から位置決めした上でネジ止め等することにより、トイレ本体部４０の高さが調整される。
【００２５】
後脚部１３は、後方へ傾斜するように形成されている。本実施形態では、後脚部１３は、木製の長尺板材からなる後脚本体２２を備えている。各後脚部１３は、その上端部が、前脚部１２の高さ方向の中間部に回動軸２５を介して連結されている。これにより、脚体部１１は、前脚部１２の下部と後脚部１３の下部とが離間した開脚状態と、前脚部１２の下部と後脚部１３の下部とが接近した閉脚状態との間で変形可能になっている。閉脚状態では、前脚部１２の下部と後脚部１３の下部とが接近することにより、脚体部１１が折り畳まれた状態となる。後脚部１３の下端よりも上には、各後脚部１３を連結する板状の連結部２７が設けられている。
【００２６】
後脚部１３は、高さ調整部２６を有している。高さ調整部２６は、木製の長尺板材からなり、各後脚部１３の下部に、後脚本体２２に対して着脱可能に取り付けられている。この高さ調整部２６の後脚本体２２に対する高さ方向の位置を調整することにより、トイレ本体部４０の床面からの高さを調整可能になっている。本実施形態では、前脚部１２と同じく、後脚本体２２の下部に上下に並べて形成された複数個のネジ孔のいずれかと、高さ調整部２６に形成されたネジ孔とが重なるように高さ調整部２６の高さ方向の位置を調整し、ネジ止め等することにより、トイレ本体部４０の高さが調整される。
【００２７】
図７に示すように、後脚部１３は、下側部分１３ａと上側部分１３ｂとを有しており、これらが弧状につながっている。具体的には、後脚部１３は、開脚状態で側方視したとき、下側部分１３ａは直線的であり、上側部分１３ｂは上方へ凸となる緩やかな弧状であり、これら両者が、上側部分１３ｂよりも湾曲された弧状部分でつながっている。また、上側部分１３ｂの鉛直方向に対する傾斜は、下側部分１３ａよりも大きい。これにより、ポータブルトイレ１０の閉脚状態では後脚部１３の下端の前後幅が小さくなり、コンパクトに折り畳むことができるようになっている。また、閉脚状態では、前脚部１２及び後脚部１３は、前後に並んで略平行に配置される（図１２参照）。
【００２８】
脚体部１１の各脚の下面には、開脚状態での接地面である第１接地面３９ａと、閉脚状態での接地面である第２接地面３９ｂとが形成されている。本実施形態では、側方視において、高さ調整部２４，２６の下面が前脚本体２１及び後脚本体２２の下面よりも下方に位置しており、高さ調整部２４，２６側に第１接地面３９ａ及び第２接地面３９ｂが形成されている。
【００２９】
＜規制部＞
脚体部１１には、所定の開脚状態において前脚部１２の下部と後脚部１３の下部とがそれ以上離間しないように規制する規制部が設けられている。本実施形態では、規制部として、前脚部１２と後脚部１３との間に前後方向に架け渡された連結アーム２８と、前脚部１２及び後脚部１３の一方の脚に設けられ、他方の脚に当接する脚当接部１８と、が設けられている。
【００３０】
連結アーム２８は、第１連結バー２８ａと第２連結バー２８ｂとを有している。第１連結バー２８ａの一端は、前脚部１２に回動可能に連結されており、第２連結バーの一端は後脚部１３に回動可能に連結されている。第１連結バー２８ａの他端と、第２連結バー２８ｂの他端とは、前脚部１２と後脚部１３との間の前後方向の中間部で回動可能に連結されている。この連結アーム２８により、ポータブルトイレ１０が開脚した状態では、前脚部１２と後脚部１３とが所定の角度以上に開かないようになっている。
【００３１】
脚当接部１８は、図７に示すように、後脚部１３の内側板面に所定高さで取り付けられており、前脚部１２の後部に当接する当接面１８ａを有する。脚当接部１８は、例えばネジ止め等により後脚部１３に固定されている。ポータブルトイレ１０の開脚状態では、前脚部１２の後面と、脚当接部１８に設けた当接面１８ａとが当接する。この当接により、前脚部１２の下部と後脚部１３の下部とがそれ以上離間しないように規制される。
【００３２】
≪トイレ本体部４０≫
トイレ本体部４０は、各前脚部１２及び各後脚部１３で挟まれた位置に配置されている。トイレ本体部４０は、バケツ５０を受けることが可能な受け部６０と、受け部６０の上方に配置される便座７０と、便座７０の上方に重ねられて便座７０を覆う座部８０とを備えている。
【００３３】
＜受け部６０＞
受け部６０は、本体フレーム６１と、バケツ５０を収容する収容部６２と、収容部６２の上部に配置されるトレイ６３とを備える。
【００３４】
（本体フレーム６１）
本体フレーム６１は、収容部６２及びトレイ６３を支持する部材であり、本実施形態では、図６に示すように、前後及び左右のそれぞれに上方に向けて立ち上がる側壁６１ａを有する平面視四角形の木製の枠である。本体フレーム６１は、脚体部１１に対して回動可能に支持されている。本実施形態では、本体フレーム６１は、左右両側で、前脚部１２及び後脚部１３のそれぞれに対して回動可能に連結されている。
【００３５】
図８は、脚体部１１と本体フレーム６１との連結部分を拡大した斜視図である。なお、図８では便宜上、前脚部１２及び後脚部１３を二点鎖線で示している。図８に示すように、本体フレーム６１は、前脚部１２の高さ方向の中間部において、連結板６４を介して各前脚部１２に連結されている。連結板６４は、本体フレーム６１の左右側面にそれぞれ設けられている。具体的には、連結板６４の一端は、本体フレーム６１の左右の側壁６１ａに回動軸６４ａを介して連結されており、連結板６４の他端は、前脚部１２の内側板面に回動軸６４ｂを介して連結されている。連結板６４の両端の回動軸６４ａ，６４ｂの高さ位置は略同じとなっている。
【００３６】
本体フレーム６１は、連結部材６５を介して、各後脚部１３に対し回動可能に連結されている。連結部材６５は、本体フレーム６１の両側面に設けられている。本実施形態では、連結部材６５は、上下方向に延びる形状を有し、その上端部は、本体フレーム６１の側面に回動軸６５ａを介して連結され、下端部は、ネジ止め等によって後脚部１３に固定されている。連結部材６５の回動軸６５ａの高さ位置は、連結板６４の両端の回動軸６４ａ，６４ｂと略同じ高さ位置となっている。
【００３７】
本体フレーム６１は、連結板６４の回動軸６４ａ，６４ｂ及び連結部材の回動軸６５ａにより、本体フレーム６１が前後方向に延びる横向きの状態と、本体フレーム６１が上下方向に延びる縦向きの状態とに姿勢の変更が可能になっている。本体フレーム６１の側面には、連結部材６５の後方位置に、側方に突出する突出部６６が形成されている。本体フレーム６１が縦向きに配置されると、連結部材６５の後面と突出部６６とが当接する。これにより、本体フレーム６１が縦向きに配置されたときに本体フレーム６１がそれ以上回動しないように、本体フレーム６１の回動が規制される。
【００３８】
ポータブルトイレ１０には、開脚した状態において、本体フレーム６１の横向きの状態が保持されるように本体フレーム６１を支持する本体支持部６７が設けられている。本実施形態では、本体支持部６７は、本体フレーム６１を下方から支持する部材であり、左右側方にそれぞれ設けられている。図７及び図８に示すように、本体支持部６７は、前脚部１２の内側板面に、例えばネジ止め等により取り付けられている。本体支持部６７の取付け高さは、本体支持部６７の上部の水平面６７ａが、本体フレーム６１が水平な状態で、本体フレーム６１の左右の側壁６１ａの下面に当接可能な高さ位置となっている。脚体部１１の開脚状態では、本体フレーム６１の下面と、本体支持部６７の上部の水平面６７ａとが当接することにより、本体フレーム６１の横向きの状態が保持される。
【００３９】
本体フレーム６１には、本体フレーム６１が縦向きに配置された状態を保持するストラップ５５が取り付けられている。ストラップ５５は、帯部５６と、帯部５６の一端に設けられ本体フレーム６１に固定される固定部５７と、帯部５６の他端に設けられ先端を折り返して形成された輪部５８とを備えている。ストラップ５５は、本体フレーム６１のうち左右いずれかの側壁６１ａに取り付けられている。なお、便宜上、図１にのみストラップ５５を図示している。本体フレーム６１が縦向きに配置された状態で、ストラップ５５の輪部５８を、脚体部１１の上部に設けられた突出部５９に引っ掛けることにより、本体フレーム６１の下方への回動が規制され、本体フレーム６１が縦向きに配置された状態が保たれる。
【００４０】
（収容部６２）
収容部６２は、上部が開口した有底の容器であり、バケツ５０を収容可能な大きさを有している。収容部６２は「汚水受け」とも称される。図５に示すように、本実施形態では、収容部６２は、矩形の底部６２ａと、底部６２ａの周縁部から立ち上がる側壁部６２ｂとを有する例えば樹脂製の箱型容器である。側壁部６２ｂの上部には、開口部６２ｃが形成されている。側壁部６２ｂは、底部６２ａに向かうにつれて内側に傾斜した形状となっている。
【００４１】
収容部６２は、本体フレーム６１の内側に配設され、その配設状態で着脱可能に支持されている。本実施形態では、収容部６２の上部の周縁の左右のそれぞれに、側方に突出する爪部６２ｄが複数個ずつ（図５では２個ずつ）所定間隔をあけて設けられている。また、本体フレーム６１には、左右の側壁６１ａの上面であって、収容部６２の爪部６２ｄに対応する位置に、爪部６２ｄを引っ掛けることが可能な引っ掛け部６１ｅが設けられている。爪部６２ｄを引っ掛け部６１ｅに引っ掛けるようにして、収容部６２を本体フレーム６１の内側に上方から配設することにより、収容部６２が本体フレーム６１に組み付けられる。これにより、収容部６２は、本体フレーム６１が横向きの状態では開口部６２ｃを上方に向けた状態で本体フレーム６１に支持される。収容部６２が本体フレーム６１に支持された状態で、本体フレーム６１が上方へ回動して縦向きの状態になると、受け部６０が収容部６２の開口部６２ｃを後方に向けた状態に変化する。
【００４２】
（トレイ６３）
トレイ６３は、収容部６２の開口部６２ｃを覆うようにして、収容部６２の上部に配設される。その配設状態では、トレイ６３は、収容部６２によって着脱可能に支持されている。トレイ６３は「受け板」とも称される。トレイ６３の中央部には開口部６３ａが形成されており、開口部６３ａの周縁及びトレイ６３の外縁に、トレイ６３の上面６３ｂから上方に向けて周方向に連続して立ち上がる内側壁６３ｃ、外側壁６３ｄがそれぞれ設けられている。トレイ６３の前面中央には、下方に垂れる下垂部６３ｅが設けられている。この下垂部６３ｅが、収容部６２の前面上端に形成された凹み部と上下に組み合わされることで、収容部６２に対してトレイ６３が位置決めされる。
【００４３】
トレイ６３の周縁部には、外側底面から下方に向かって突出するピンが複数箇所（本実施形態では、トレイ６３の外側底面の前部左右の隅に１個ずつ）に設けられている。各ピンが、本体フレーム６１の上面に設けられたピン穴６１ｆに挿入されることで、トレイ６３が本体フレーム６１に対して着脱可能に組み付けられる。トレイ６３の後部には、便座７０のヒンジ７１を取り付ける基部６８が設けられている。
【００４４】
（バケツ５０）
バケツ５０は、使用者の排泄物を受ける容器であり、本実施形態では上部が開口した有底の容器である。バケツ５０は「汚物受け」とも称される。バケツ５０の上縁には、周方向に連続して外側に突出するフランジ５１が設けられている。バケツ５０は、トレイ６３の開口部６２ｃを通じて収容部６２に収容される。バケツ５０は、その収容状態で、フランジ５１がトレイ６３の内側壁６３ｃに引っ掛けられることで、トレイ６３に支持されている。バケツ５０が収容部６２に収容された状態では、トレイ６３の上面６３ｂは、バケツ５０の上端よりも低い位置に配置されている。バケツ５０の外側へ漏れた汚水は、内側壁６３ｃの外面を介してトレイ６３の上面６３ｂに受けられる。
【００４５】
バケツ５０の上縁には、傾倒可能な取っ手５２が取り付けられている。バケツ５０が収容部６２に収容された状態では、取っ手５２は、後方に倒されることによってバケツ５０の後方へ配置される。バケツ５０の開口部５３には、開口部５３を覆う蓋５４が上方から装着される。
【００４６】
＜便座７０＞
便座７０は、開口部７２を有し、その開口部７２が、トレイ６３の開口部６３ａと重なるようにして、受け部６０の上方、より具体的にはトレイ６３の上面に配置される。便座７０は、後方位置に設けられたヒンジ７１を介してトレイ６３に取り付けられている。これにより、便座７０は、図２に示すように、収容部６２の上面に横向きに配置された状態と、図３に示すように、収容部６２の上方に縦向きに配置された状態との間で回動可能になっている。なお、便座７０をトレイ６３に取り付ける構成に代えて、収容部６２又は本体フレーム６１に取り付ける構成としてもよい。
【００４７】
＜座部８０＞
座部８０は、便座７０の上方に重ねられた状態で上面８１が座面として使用されるものである。本実施形態では、座部８０は、クッション性を有して形成された矩形の部材である。座部８０は、トイレ本体部４０の後方位置で上方へ回動可能に支持されている。具体的には、座部８０は、本体フレーム６１にアーム８６を介して連結されている。このアーム８６の一端は、座部８０の後端部に回動軸を介して連結され、他端は、本体フレーム６１の後部に回動軸８７を介して連結されている。この回動軸８７により、座部８０は、上面８１が前後方向に延びている横向きの状態と、上面８１が上下方向に延びている縦向きの状態との間で姿勢変更が可能になっている。座部８０を上方へ回動すると、便座７０が露出し、トイレとしての使用状態となる。
【００４８】
図１に示すように、座部８０は、前後に分割された前部８２と後部８３とを有する。前部８２と後部８３とは、蝶番８４によって裏面で連結されている。これにより、座部８０は、前後方向の中間位置で、座部８０の上面８１を前後に向けた状態で折り畳み可能になっている。折り畳まれた状態の座部８０は、図２に示すように、トイレ本体部４０の後方位置で、座部８０の上面８１を前後に向けた状態で起立するようにして配置される。本実施形態では、後述する背もたれ部９０の下方に形成された空間部９１に、折り畳まれた座部８０が配置される。
【００４９】
座部８０の上面８１には取っ手８５が取り付けられている。本実施形態では、取っ手８５は、前後方向に延びる帯状の部材であり、座部８０の前部８２に設けられている。使用者は、取っ手８５を片手で持つか又は取っ手８５と上面８１との間に片手を挿入して座部８０を中間位置で折り畳み、そのまま後方に移動させることができる。つまり、使用者は片手での操作によって、便座７０やトレイ６３に手が触れないようにして、椅子としての使用状態からトイレとしての使用状態にすることができる。
【００５０】
トイレ本体部４０においては、本体フレーム６１が脚体部１１に回動可能に支持されており、その本体フレーム６１に、収容部６２及びトレイ６３が着脱可能に配設されているとともに、便座７０及び座部８０が回動可能に支持されている。これにより、トイレ本体部４０の回動により、トイレ本体部４０が横向きに配置される状態と、トイレ本体部４０が縦向きに配置される状態との間で姿勢変更が可能になっている。
【００５１】
ポータブルトイレ１０は、更に、着座した使用者の背中が当接される背もたれ部９０と、使用者の手や腕が載置される肘掛け部９２と、閉脚状態で受け部６０がバケツ５０を受けた状態を保持する保持部７５と、を備えている。
【００５２】
≪背もたれ部９０≫
背もたれ部９０は、各前脚部１２の上端部の間に架け渡されている。背もたれ部９０は、開脚状態においてトイレ本体部４０の後方位置で上方に配置されている。本実施形態では、背もたれ部９０は、少なくとも前面がクッション性を有して形成された長尺形状の部材が、各前脚部１２の内側板面のそれぞれに対してネジ止め等により固定されている。背もたれ部９０の下方には空間部９１が形成されている。この空間部９１は、背もたれ部９０と各前脚部１２と座部８０とにより囲まれた内側空間となっている。また、空間部９１は、前部８２と後部８３との間で折り畳まれた状態の座部８０が入り込むことが可能な大きさとなっている。
【００５３】
≪肘掛け部９２≫
肘掛け部９２は、前後方向に沿って延びる肘掛け本体９３と、肘掛け本体９３を回動可能に支持する回動支持部９４とを備えている。肘掛け本体９３は、トイレ本体部４０の後方位置から前方に延びる断面矩形の細長い木製の部材であり、左右両側に設けられている。肘掛け本体９３の上面９３ａは、使用者の手や腕が載置される載置面となっている。図１〜図７に示す例では、右側の肘掛け本体９３の下面には、下方に突出する支柱９９が設けられており、この支柱９９にトイレットペーパーホルダー９５が取り付けられている。
【００５４】
回動支持部９４は、前脚部１２の左右の外側板面に取り付けられている。図２に示すように、回動支持部９４の上面は略水平面であり、前後方向に沿って延びている。回動支持部９４の上面は、肘掛け本体９３の下面が当接される当接面となっており、その当接状態において肘掛け本体９３を下方から支持する。
【００５５】
回動支持部９４の後部には、肘掛け本体９３が回動軸９６を介して支持されている。本実施形態では、肘掛け本体９３は、肘掛け本体９３の下面が回動支持部９４の上面に当接した状態から、回動軸９６を中心に回動することによって、肘掛け本体９３の前端部９３ｂが上方に位置した状態に跳ね上げられる。また、その跳ね上げ状態からさらに回動可能になっている。より具体的には、肘掛け本体９３の前端部９３ｂが下方に位置した状態になるまで回動可能になっている。肘掛け本体９３の前端部９３ｂが下方に位置した状態では、肘掛け本体９３の上面９３ａが、回動支持部９４の後面９４ａに当接し、それ以上の回動が規制される。回動支持部９４によって肘掛け本体９３が跳ね上げ可能になっていることにより、使用者が例えばベッドからポータブルトイレ１０の座部８０又は便座７０に側方から腰掛けたり、座部８０又は便座７０から側方に立ち上がったりする、いわゆる横移乗が容易となっている。
【００５６】
図２に示すように、肘掛け本体９３の下面には、回動支持部９４の前端部に設けられた被係止部９７に係止可能なロック機構９８が設けられている。このロック機構９８により、肘掛け本体９３の回動が規制された固定状態と、肘掛け本体９３が回動可能な非固定状態との間で変更可能になっている。回動支持部９４は、前脚部１２の外側板面に対して着脱可能に取り付けられている。したがって、回動支持部９４の前脚部１２に対する高さ方向の位置を調整することにより、肘掛け本体９３の高さを調整可能になっている。本実施形態では、前脚部１２の板面において異なる高さ位置に形成された複数のネジ孔のいずれかと、回動支持部９４に設けられたネジ孔とが重なるように回動支持部９４の高さ方向の位置を調整し、ネジ止め等することにより肘掛け本体９３の高さが調整される。
【００５７】
≪保持部７５≫
保持部７５は、受け部６０に収容されたバケツ５０が開口部５３を後方に向けた状態となったときに、受け部６０がバケツ５０を受けた状態を保持する。こうした保持部７５を備えることにより、トイレ本体部４０を縦向きに配置した状態では、バケツ５０が後ろ方向に飛び出るのを抑制することができる。
【００５８】
保持部７５は、トイレ本体部４０の後方に設けられており、開脚状態では座部８０の座面の下方に位置している。本実施形態では、図９に示すように、保持部７５は、各前脚部１２の間に設けられた線条体７６と、線条体７６に設けられた回転体７７と、を有している。
【００５９】
線条体７６は、例えば金属製又は樹脂製であり、図９に示すように、各前脚部１２から後ろ斜め下方に延びる側方部７６ａ，７６ｂと、側方部７６ｂ，７６ｂの下端を連結する連結部７６ｃと、を有している。側方部７６ａ，７６ｂの上端は、前脚部１２の板面に外側から回動可能に取り付けられている。側方部７６ａ，７６ｂは、回動範囲が規制されており、前脚部１２に対して上方へ所定位置まで回動すると、それ以上回動しないようになっている。連結部７６ｃは、ポータブルトイレ１０の開脚状態では、座部８０が便座７０の上方に重ねられた状態において座部８０の座面よりも下方に位置している。
【００６０】
回転体７７は、例えば樹脂製であり、連結部７６ｃに回動可能に取り付けられている。図７に示すように、回転体７７は、開脚状態では自重によって座部８０の座面に対して後方下方の位置に位置している。なお、本実施形態では、連結部７６ｃには２個の回転体７７を設けているが、回転体７７は１個でもよく、３個以上としてもよい。
【００６１】
≪ポータブルトイレ１０の動作≫
次に、ポータブルトイレ１０の動作について説明する。図１０は、折り畳み状態のポータブルトイレ１０を左斜め前方から見た斜視図であり、図１１は、折り畳み状態のポータブルトイレ１０を左斜め後方から見た斜視図である。図１２は、折り畳み状態のポータブルトイレ１０の右側面図である。
【００６２】
上述したように、脚体部１１は、前脚部１２の下部と後脚部１３の下部とが離間した開脚状態から、前脚部１２の下部と後脚部１３の下部とが接近した閉脚状態へ折り畳み可能である。また、トイレ本体部４０は、受け部６０がバケツ５０の開口部５３を上方に向けた状態でバケツ５０を受ける横向きの状態と、受け部６０がバケツ５０の開口部５３を後方に向けた状態でバケツ５０を受ける縦向きの状態との間で姿勢を変更可能である。本実施形態では、トイレ本体部４０が横向きの状態から縦向きの状態になる動作と、脚体部１１が開脚状態から閉脚状態になる動作とが連動して行われる。
【００６３】
具体的には、図８に示すように、前脚部１２は連結板６４を介して本体フレーム６１に連結されており、後脚部１３は回動軸６５ａを介して本体フレーム６１に連結されている。本体フレーム６１が上方に回動されて縦向きの配置になると、それに連動して、前脚部１２の下部と後脚部１３の下部とが互いに引き寄せられ、両者は接近する。その結果、ポータブルトイレ１０は、図１０〜図１２に示す折り畳み状態となる。ポータブルトイレ１０が折り畳まれた状態では、脚体部１１の各脚では第２接地面３９ｂがそれぞれ接地することにより、バケツ５０や収容部６２を備えたままの状態で安定して自立する。
【００６４】
ここで、ポータブルトイレ１０においては、トイレ本体部４０の回動経路にトイレ本体部４０の障害物となる部材は存在せず、バケツ５０を受け部６０により受けている状態でのトイレ本体部４０の回動経路が確保されている。そのため、バケツ５０や収容部６２を取り外さずに折り畳み状態とすることができる。
【００６５】
図１１に示すように、脚体部１１が閉脚した状態では、トイレ本体部４０の少なくとも一部が、背もたれ部９０の下方の空間部９１に入り込んだ状態となる。これにより、折り畳み状態での前後方向の厚みをできるだけ薄くすることができる。脚体部１１が折り畳まれた状態では、便座７０と共に受け部６０の上部に重ねられた状態の座部８０が、背もたれ部９０の下方を通過可能になっている。本実施形態では、図１１に示すように、折り畳み状態では、保持部７５によって座部８０が押さえられることで、受け部６０がバケツ５０を受けたまま、かつ座部８０が便座７０に重ねられたままの状態が保持される。保持部７５の作用については後に詳述する。
【００６６】
ポータブルトイレ１０を折り畳む際には、使用者や介助者は、まず、図１に示すように、便座７０及び座部８０を受け部６０の上方に重ねた状態とする。続いて、肘掛け本体９３を跳ね上げ、さらに後ろ下方に回動させることにより、肘掛け本体９３を水平の状態から、トイレ本体部４０の後方位置で下方を向いた状態とする。次に、使用者等は、片方の手を背もたれ部９０の後方に回し、背もたれ部９０の後面に片手を添えるとともに、もう一方の手を、本体フレーム６１の前方の側壁６１ａの下部に添え、背もたれ部９０とトイレ本体部４０の前方とを接近させるようにトイレ本体部４０を上方へ回動させる。これにより、トイレ本体部４０が縦向きになるとともに、その動作に連動して脚体部１１が折り畳まれる。ポータブルトイレ１０が折り畳まれた状態でストラップ５５を突出部５９に引っ掛けることにより、折り畳み状態が安定に保持される。
【００６７】
折り畳み状態のポータブルトイレ１０を開脚するときには、使用者や介護者は、まず、ストラップ５５の輪部５８を突出部５９から取り外す。次に、背もたれ部９０と本体フレーム６１の前方とを離間させるように、トイレ本体部４０を下方へ回動させる。このとき、本体フレーム６１の前方の側壁６１ｃの下部に添えるか、あるいはストラップ５５を掴んだ状態で、トイレ本体部４０の下方への回動がゆっくりと行われるように補助するとよい。開脚した後では、自重により、便座７０及び座部８０が受け部６０の上方に重ねられた状態が自然に形成される。したがって、開脚した後に直ちに椅子として機能させることができる。また、座部８０を回動させて後方へ退避させれば、トイレとして機能させることができる。
【００６８】
≪保持部７５の作用≫
次に、保持部７５の作用について詳しく説明する。図１３は、ポータブルトイレ１０を折り畳む際の保持部７５の座部８０に対する位置の推移を示す図である。なお、図１３では、ポータブルトイレ１０を右側方から見ている。図１３中、（ａ）は開脚状態、（ｂ）及び（ｃ）は開脚状態から閉脚状態への途中の状態、（ｄ）は閉脚状態をそれぞれ示す。
【００６９】
保持部７５は、脚体部１１が開脚状態から閉脚状態になることに伴い、座部８０に対する相対位置が、座部８０の後方下方の非保持位置から、座部８０の座面の上方の保持位置に移動する。具体的には、図１３（ａ）に示すように、開脚状態では、保持部７５の自重により、回転体７７が座部８０の座面よりも下方に位置している。この位置が、保持部７５の非保持位置となっている。
【００７０】
この状態から、トイレ本体部４０が上方に回動されて、脚体部１１が開脚状態から閉脚状態に姿勢変更する過程では、図１３（ｂ）に示すように、回転体７７が座部８０の後端部に当接し、そのまま座部８０の後方から座面に乗り上げ、その後、図１３（ｃ）に示すように、線条体７６の回動が規制された状態で、回転体７７が座部８０の座面に沿って、座面に接触した状態のまま、かつ前方に回転しながら移動する。これにより、折り畳みの動作中では、座部８０が便座７０の上方を覆った状態が保持される。
【００７１】
そして、トイレ本体部４０が縦向きの状態となり、折り畳み状態となると、回転体７７が座面に接触したまま、より具体的には、回転体７７が座面を上から抑えた状態で、座部８０の座面の上方の所定位置に留まる（図１３（ｄ）参照）。本実施形態では、回転体７７が座部８０の中間位置、より具体的には前部８２側になる位置が、保持部７５の保持位置となっている。こうした保持部７５による座面上方からの抑えにより、折り畳み後に座部８０が後方に展開してしまうのが抑制され、バケツ５０やトレイ６３、収容部６２が後方に飛び出ることが抑制される。なお、回転体７７が、閉脚状態で座部８０の座面に接触する接触部に相当する。
【００７２】
≪脚体部１１の下端部の構成≫
次に、脚体部１１の下端部の構成について詳しく説明する。図１４は、開脚状態での脚体部１１の下端部の右側面図であり、図１５は、脚ゴム３０の斜視図である。図１４に示すように、前脚部１２及び後脚部１３のそれぞれの下面には、第１面２９ａと、第１面２９ａに対し交差する角度をなす第２面２９ｂとが設けられている。第１面２９ａと第２面２９ｂとは、前後方向に隣接して配置されている。第２面２９ｂは、第１面２９ａに対して前後方向の外側に配置されている。
【００７３】
第１面２９ａ及び第２面２９ｂの下面には、脚ゴム３０が取り付けられている。脚ゴム３０は、前脚部１２及び後脚部１３のそれぞれの下面に対し、第１面２９ａと第２面２９ｂとに跨って設けられている。本実施形態では、前脚部１２及び後脚部１３のうち、高さ調整部２４，２６の下面に脚ゴム３０が取り付けられている。
【００７４】
脚ゴム３０は、長尺板状のゴム部材である。脚ゴム３０の一方の板面は、脚体部１１の各脚の第１面２９ａ及び第２面２９ｂに当接される当接面３１であり、他方の板面は、当接面３１が第１面２９ａ及び第２面２９ｂに当接された状態で床面に接地される接地面３９となっている。接地面３９は、脚ゴム３０が前脚部１２及び後脚部１３の下面に取り付けられた状態で、第１面２９ａと平行な第１接地面３９ａと、第２面２９ｂと平行な第２接地面３９ｂとを有している。第１接地面３９ａは、脚体部１１の第１面２９ａが床面に対向配置されたときに床面に接地され、第２接地面３９ｂは、第２面２９ｂが床面に対向配置されたときに床面に接地される。第１接地面３９ａと第２接地面３９ｂとは隣接して配置されており、第１接地面３９ａは、第２接地面３９ｂよりも面積が大きくなっている。
【００７５】
第１接地面３９ａには、第２接地面３９ｂ側の端部に、第１接地面３９ａから突出する突部３２が形成されている。本実施形態では、図１５に示すように、突部３２は、第２接地面３９側の端部において、第１接地面３９ａと第２接地面３９ｂとの境界の長さ方向に沿って延びる突条部となっている。突条部は、第１接地面３９ａと第２接地面３９ｂとの境界の長さ方向の全域に亘って延びている。
【００７６】
図１５に示すように、脚ゴム３０の接地面３９には、第１接地面３９ａと第２接地面３９ｂとの境界に、当該境界の長さ方向へ延びる溝部３３が形成されている。溝部３３は、第１接地面３９ａと第２接地面３９ｂとの境界の長さ方向の全域に亘って形成されており、その溝部３３に隣接して突部３２が第１接地面３９ａに配置されている。脚ゴム３０は、当接面３１が内側になるように溝部３３で折り曲げられて、第１面２９ａ及び第２面２９ｂに取り付けられる。こうした溝部３３が板面に形成されていることにより、第１接地面３９ａと第２接地面３９ｂとの境界で脚ゴム３０を容易に折り曲げて、第１面２９ａ及び第２面２９ｂに取り付け可能になっている。
【００７７】
接地面３９には、厚み方向に貫通する貫通孔３４が形成されている。本実施形態では、貫通孔３４は、第１接地面３９ａ及び第２接地面３９ｂのそれぞれに１個ずつ設けられている。脚体部１１の第１面２９ａ及び第２面２９ｂには、下方に突出する突出部（図示略）がそれぞれ形成されている。突出部の高さは、脚ゴム３０の本体３５の厚みよりも小さくなっている。この突出部に対して、脚ゴム３０の貫通孔３４を嵌め込むことにより、前脚部１２及び後脚部１３の下面に脚ゴム３０を着脱可能になっている。
【００７８】
≪脚ゴム３０の作用≫
次に、脚ゴム３０を脚体部１１の各脚に取り付けたときの作用について説明する。
【００７９】
図１４に示すように、ポータブルトイレ１０には、第１接地面３９ａの前後方向の外側縁部に突部３２が設けられている。そのため、ポータブルトイレ１０が接地されていない状態で、開脚状態で側方視したとき、第１接地面３９ａにおける前後方向の外側縁部３８Ａの下端が、内側縁部３８Ｂの下端よりも下方に位置している。より具体的には、脚体部１１の前後両方の脚で、第１接地面３９ａにおける前後方向の外側縁部３８Ａの下端が、内側縁部３８Ｂの下端よりも下方に位置している。なお、図１４中の二点鎖線Ｌは、外側縁部３８Ａの下端の高さ位置を表している。
【００８０】
上記のように、外側縁部３８Ａの下端が、内側縁部３８Ｂの下端よりも下方に位置している場合には、開脚した状態では、第１接地面３９ａのうち前後方向の外側縁部３８Ａが接地されやすくなる。また、第１接地面３９ａの前後方向の外側縁部３８Ａが接地されやすいことによって、前後方向における接地部分の離間距離をできるだけ長くできる。よって、ポータブルトイレ１０の重心を低い位置に定めることができ、開脚状態での安定性の向上に寄与する。また、製品ばらつき等に起因して脚のがたつきが生じる場合にも、第１接地面３９ａのうち前後方向の外側縁部３８Ａを優先的に接地させることができる。その結果、開脚状態でのがたつきを抑制しつつ、安定性の向上を図ることができる。
【００８１】
図１６は、閉脚状態から開脚状態に姿勢変更するときの脚体部１１の下面の接地状態の推移を示す拡大側面図である。ここでは、後脚部１３について説明しているが、前脚部１２についても同様である。なお、図１６中、（ａ）は閉脚状態、（ｂ）は閉脚状態から開脚状態に姿勢変更する途中の状態、（ｃ）は閉脚状態をそれぞれ示している。
【００８２】
閉脚状態では、図１６（ａ）に示すように、第２接地面３９ｂが床面Ｇに接地された状態となる。この状態から開脚状態とするときには、第２接地面３９ｂとの接地状態から、第１接地面３９ａとの接地状態になる。ポータブルトイレ１０においては、第１接地面３９ａの前後方向の外側縁部３８Ａに突部３２が設けられているため、第１接地面３９ａが非接地状態から接地状態になるときには、第１接地面３９ａの外側縁部３８Ａが最初に接地されやすい（図１６（ｂ）参照）。また、開脚状態において使用者が着座している状態では、図１６（ｃ）に示すように、ゴムの弾性変形によって突部３２が潰れて、第１接地面３９ａが面で受けた状態で安定する。ただし、ポータブルトイレ１０の自重によって突部３２が潰れて第１接地面３９ａが面で受けた状態になってもよい。
【００８３】
以上詳述した本実施形態の構成によれば、以下の優れた効果が得られる。
【００８４】
ポータブルトイレ１０には、バケツ５０を受け部６０により受けている状態でのトイレ本体部４０の回動経路が確保されているため、バケツ５０を備えた状態で折り畳むことができる。また、閉脚状態では前脚部１２と後脚部１３とで自立可能であることから、折り畳み状態において、バケツ５０や収容部６２を備えたままの状態でも安定して自立することができる。
【００８５】
開脚状態においてトイレ本体部４０の横向きの状態が保持されるようにトイレ本体部４０を支持する本体支持部６７をポータブルトイレ１０に設けた。これにより、トイレ本体部４０を回動可能にしつつ、開脚状態としたときには、トイレ本体部４０の横向きの状態を安定に維持することができる。また、トイレ使用時に使用者によってトイレ本体部４０に上方から力が加えられた場合にも、本体支持部６７によって下方から支持されることにより、トイレ本体部４０の横向きの姿勢を安定に保持することができる。特に本実施形態では、本体支持部６７を前脚部１２の内側板面に設けたことから、本体フレーム６１をより前方位置で支持することができる。これにより、開脚状態においてトイレ本体部４０をより安定な横向き状態にしておくことができる。また、本体支持部６７を前脚部１２の内側板面に設けたことから、本体支持部６７が外から目立ちにくく外観も良好である。
【００８６】
所定の開脚状態において前脚部１２の下部と後脚部１３の下部とがそれ以上離間しないように規制する規制部として、連結アーム２８及び脚当接部１８を設けた。こうした規制部を有することにより、脚体部１１の最大開脚位置を定めることができる。これにより、使用者が着座してトイレ本体部４０に力が掛かった場合にも、ポータブルトイレ１０を所定の開脚状態で安定に維持することができる。
【００８７】
特に、脚当接部１８は、後脚部１３の内側板面に設けられており、前脚部１２の後面が当接面１８ａに当接することによって、前脚部１２の下部と後脚部１３の下部とがそれ以上離間しないように規制するため、所定の開脚状態から更に開脚することをより確実に規制することができ、安全性の面でも好ましい。また、後脚部１３の板面に固定したため、安定性及び耐久性にも優れている。さらに、脚当接部１８を後脚部１３の内側板面に設けたことから、外から目立ちにくく外観も良好である。
【００８８】
折り畳み時には、トイレ本体部４０の少なくとも一部が背もたれ部９０の下方の空間部９１に入り込むようにした。この場合、折り畳み状態では、背もたれ部９０の下方の空間部９１にトイレ本体部４０の少なくとも一部が入り込むため、折り畳んだ状態で前後方向の厚みをできるだけ薄くすることができる。これにより、折り畳んだ状態ではよりコンパクトにすることができる。
【００８９】
閉脚状態で受け部６０がバケツ５０を受けた状態を保持する保持部７５をポータブルトイレ１０に設けた。これにより、折り畳み状態としたときにバケツ５０が後方に飛び出るのを抑制することができる。また、開脚状態から閉脚状態になることに伴い、保持部７５が非保持位置から保持位置に移動するため、保持部７５の上記機能を折り畳みの動作に連動して発揮させることができる。これにより、使用者がわざわざ保持部７５を操作しなくても、折り畳み状態でバケツ５０が後方に飛び出ないようにすることができる。
【００９０】
ポータブルトイレ１０に座部８０を設けたため、トイレとして機能させるだけでなく、椅子としても機能させることができる。また、座部８０を回動させて後方へ退避させれば、直ちにトイレとして機能させることができる。また、保持部７５は、閉脚状態において座部８０を便座７０と重ねられた状態で保持するため、便座７０やバケツ５０の開口部５３が露出することなく、清潔感のある折り畳み状態とすることができる。
【００９１】
保持部７５は、少なくとも閉脚状態において座部８０の座面に接触する接触部として回転体７７を有し、開脚状態から閉脚状態に姿勢変更する過程において、回転体７７が座面に沿って移動することにより座部８０を便座７０と重ねられた状態で保持する。この場合、折り畳み状態となった後だけでなく、折り畳み状態になるまでの動作中も、座部８０が便座７０を覆った状態を保持することができる。これにより、トイレ使用時以外は終始、便座７０やバケツ５０の開口部５３を座部８０で覆っておくことができ、清潔感のある状態を保持することができる。
【００９２】
また、保持部７５に回転体７７を設け、回転体７７を接触部として機能させることから、開脚状態から閉脚状態に姿勢変更する過程において、接触部が座面に沿ってスムーズに移動することができる。これにより、保持部７５が座部８０の姿勢を保持する状態をスムーズに形成することができる。
【００９３】
保持部７５を線条体７６と回転体７７とを有する構成とし、線条体７６の回動を所定の回動範囲で規制するため、保持部７５が非保持状態から保持状態に移動する過程において、線条体７６の回動が許容されている初期では、回転体７７が座面上にスムーズに乗り上げるのを可能にしつつ、回転体７７が座面上に乗り上げた後では、線条体７６の回動を規制することにより、回転体７７が座部８０の座面を上から抑えた状態を維持させるようにすることができる。
【００９４】
各前脚部１２を連結する連結部２３を前脚部１２の下端よりも上に設け、かつ開脚状態において連結部２３の板面のうち前面２３ａは斜め下方に向いている。こうした構成とすることで、脚体部１１の強度を高めつつ、前脚部１２の下部に、より広い空間を確保することができる。これにより、トイレの使用者や介助者がトイレ前方から後ろ方向に足を踏み入れやすくすることができる。
【００９５】
また、開脚状態では、連結部２３の板面のうち前面２３ａが斜め下方に向いた状態とすることで、連結部２３の板面のうち後面２３ｂが斜め上方を向くため、トイレ本体部４０の設置領域を確保したり、トイレ本体部４０の回動経路を確保しやすくなったりすることにも寄与することができる。
【００９６】
収容部６２の側壁部６２ｂを、底部６２ａに向かうにつれて内側に傾斜した形状としたため、トイレ本体部４０を上方へ回動したときに、トイレ本体部４０が連結部２３に接触しにくくなる。よって、トイレ本体部４０の回動経路の確保に寄与することができる。
【００９７】
脚体部１１は、各脚の下端に、開脚状態での接地面である第１接地面３９ａと、閉脚状態での接地面である第２接地面３９ｂとを有する。この場合、トイレ使用時には、各脚の第１接地面３９ａが床面に接地されるため、使用者がトイレ本体部４０に体重を掛けた場合の安定性を確保できる。また、折り畳み状態では、各脚の第２接地面３９ｂが床面に接地されるため、前後左右の脚で安定して自立することができる。したがって、開脚状態及び閉脚状態の双方で安定性の高いポータブルトイレとすることができる。
【００９８】
開脚状態で側面視したときに、第１接地面３９ａにおける前後方向の外側縁部３８Ａの下端が、内側縁部３８Ｂの下端よりも下方に位置している。この場合、開脚状態では、第１接地面３９ａの少なくとも外側縁部３８Ａが接地された状態を形成することができ、重心をより低い位置に定めることができる。これにより、開脚状態での安定性を確保することができる。
【００９９】
特に、前脚部１２及び後脚部１３の開閉方向について、第１接地面３９ａの外側縁部の下端が内側縁部の下端よりも下方に位置している構成としたことから、脚の動きが許容されている方向に対する安定性を確保できる点で好適である。
【０１００】
製品ばらつき等による脚体部１１のがたつきは、第１接地面３９ａを広くすることによって大きくなりやすい。この点、第１接地面３９ａにおける前後方向の外側縁部３８Ａの下端を、内側縁部３８Ｂの下端よりも下方に位置するものとすることにより、重心をより低い位置に定めることができる。これにより、脚体部１１のがたつきを抑えることができる。
【０１０１】
第２接地面３９ｂを第１接地面３９ａよりも前後方向の外側に設けたため、閉脚時により安定して自立させることができる。また、第１接地面３９ａは、脚体部１１が接地されていない状態で側面視して、外側縁部３８Ａの下端が、内側縁部３８Ｂの下端よりも下方に位置しているため、開脚時には重心を低い位置に定めることができ、使用者が着座したときの安定性を確保することができる。つまり、開脚時の安定性と閉脚時の安定性とを両立させることができる。
【０１０２】
脚体部１１は、各脚の下端に板状の脚ゴム３０を有し、脚ゴム３０の下面によって第１接地面３９ａ及び第２接地面３９ｂが形成されている。別部材である脚ゴム３０を用いることにより、第１接地面３９ａにおける前後方向の外側縁部３８Ａの下端が、内側縁部３８Ｂの下端よりも下方に位置する状態を容易に形成することができる。また、ゴム部材とすることにより、安定性確保の機能と滑り止め機能との両者を有するものとすることができる。
【０１０３】
脚ゴム３０は、第１接地面３９ａの前後方向の外側縁部３８Ａに、下方に突出する突部３２を有する。ゴムによって形成された突部３２を第１接地面３９ａの前後方向の外側縁部３８Ａに設けることで、開脚するときに第１接地面３９ａの外側縁部３８Ａを最初に床面に接地させやすくすることができる。これにより、閉脚状態から開脚状態への過程のできるだけ早い段階から安定性を確保することができる。また、開脚して第１接地面３９ａに上から力が掛かっている状態では、ゴムが弾性変形するため、突部３２を設けた場合にも、がたつきの発生を抑えながらトイレ本体部４０を脚体部１１で支持することができる。
【０１０４】
ポータブルトイレ１０の折り畳み及び開脚の動作時には、接地面３９が床面に擦られたり当接されたりしやすく、経年に伴い突部３２が小さくなることが考えられる。この点、突部３２を、第１接地面３９ａの前後方向の外側縁部３８Ａにおいて左右方向に延びる突条部としたため、強度や耐久性の点で優れている。よって、脚ゴム３０による開脚状態での安定性確保の機能を長期間維持することができる。
【０１０５】
脚ゴム３０の下面のうち第１接地面３９ａと第２接地面３９ｂとの境界に溝部３３を設けたため、脚ゴム３０を第１接地面３９ａと第２接地面３９ｂとの境界位置で曲げやすく、前脚部１２及び後脚部１３の下面の形状に沿うようにして簡単に取り付けることができる。
【０１０６】
（他の実施形態）
本発明は上記実施形態の内容に限定されず、例えば以下のように構成してもよい。
【０１０７】
・上記実施形態では、本体支持部６７を前脚部１２の内側板面に取り付けて本体フレーム６１を下方から支持する構成としたが、本体支持部６７を後脚部１３の内側板面に取り付けて本体フレーム６１を下方から支持する構成としてもよい。また、前脚部１２及び後脚部１３の両方に本体支持部６７を設ける構成としてもよい。
【０１０８】
・上記実施形態では、規制部として、連結アーム２８と脚当接部１８とを設けたが、連結アーム２８及び脚当接部１８の一方のみを設けてもよい。また、脚当接部１８を、後脚部１３に設ける構成に代えて、前脚部１２に設ける構成としてもよい。この場合、前脚部１２の外側板面のうち後脚部１３の後面に当接可能な位置に取り付ける。
【０１０９】
・保持部７５は、閉脚状態で受け部６０がバケツ５０を受けた状態を保持するものであればよく、上記構成に限定されない。例えば、トイレ本体部４０の後方に設ける代わりに、トイレ本体部４０の前方に設ける構成としてもよい。この場合の一例としては、本体フレーム６１の左右側壁の一方に、当該一方の側壁から他方の側壁に向けて、座部８０の上面８１を通って架け渡すことが可能な例えば布製の線条体（バンド）を取り付ける。そして、折り畳み状態とするときには、折り畳み動作を開始する前に、そのバンドを一方の側壁から他方の側壁に架け渡し、座面を上から抑えることにより、座部８０が便座７０の上方に重ねられた状態を保持する。この場合、トイレ本体部４０を上方に回動させた場合に座部８０が後方に展開せず、閉脚状態で受け部６０がバケツ５０を受けた状態を保持することができる。あるいは、トイレ本体部４０の前端部に、座部８０の前端部と本体フレーム６１とを例えば面ファスナー等で脱着可能に繋ぐ構成としてもよい。
【０１１０】
・上記実施形態では、保持部７５が線条体７６と回転体７７とを備える構成としたが、回転体７７を備えない構成としてもよい。この場合、線条体７６を接触部として機能させるとよい。また、線条体７６を回動可能な構成としたが、回動しない構成としてもよい。
【０１１１】
・上記実施形態では、前脚部１２の外側板面における高さ方向の中間位置に、後脚部１３の上端部を回動可能に取り付ける構成としたが、後脚部１３の取付け位置はこれに限定されない。例えば、前脚部１２の内側板面における高さ方向の中間位置に、後脚部１３の上端部を取り付けてもよい。また、後脚部１３の上端部を本体フレーム６１に対して取り付けてもよい。このとき、後脚部１３の前面が前脚部１２の後面に当接するか、後脚部１３の後面が肘掛け本体９３の下面に当接するか、又はこれら両者に当接した状態になることにより、前脚部１２の下部と後脚部１３の下部とがそれ以上離間しないようにしてもよい。この場合、前脚部１２の後面及び肘掛け本体９３の下面が規制部に相当する。
【０１１２】
・上記実施形態では、第１接地面３９ａを前後方向の内側に配置し、第２接地面３９ｂを前後方向の外側に配置したが、逆の配置であってもよい。つまり、第１接地面３９ａを前後方向の外側に配置し、第２接地面３９ｂを前後方向の内側に配置してもよい。また、第１接地面３９ａと第２接地面３９ｂとの面積比は上記実施形態のものに限定されず、第１接地面３９ａと第２接地面３９ｂとを同じ大きさとしてもよいし、あるいは第２接地面３９ｂを第１接地面３９ａよりも大きくしてもよい。
【０１１３】
・上記実施形態では、収容部６２の上部にトレイ６３を配設する構成としたが、トレイ６３を備えない構成としてもよい。この場合、バケツ５０は、収容部６２の内部に設けられたバケツ固定部に着脱可能に取り付けたり、収容部６２の内部に設けられた引掛け部に引っ掛けたりする等して配設するとよい。
【０１１４】
・上記実施形態では、トイレ本体部４０の回動によって、閉脚状態では、受け部６０がバケツ５０の開口部５３を後方に向けた状態でバケツ５０を受けるようにトイレ本体部４０が縦向きに配置される構成としたが、トイレ本体部４０の縦向きの配置では、バケツ５０の開口部５３が前方を向けた状態になるように、トイレ本体部４０を回動させる構成としてもよい。つまり、折り畳みの動作時には、トイレ本体部４０の後部を上方に回動させ、折り畳み状態では座部８０の座面が前方を向いた状態にする。この場合、保持部７５は、閉脚状態でバケツ５０が収容部６２内から前方に飛び出ないようにトイレ本体部４０の前方に設けるとよい。
【符号の説明】
【０１１５】
１０…ポータブルトイレ、１１…脚体部、１２…前脚部、１３…後脚部、１８…脚当接部、２１…前脚本体、２２…後脚本体、２３…連結部、２４…高さ調整部、２６…高さ調整部、２８…連結アーム、３０…脚ゴム、３２…突部、３３…溝部、４０…トイレ本体部、５０…バケツ、５３…開口部、５４…蓋、５５…ストラップ、６０…受け部、６１…本体フレーム、６２…収容部、６３…トレイ、６４…連結板、６５…連結部材、６７…本体支持部、７０…便座、７５…保持部、７６…線条体、７７…回転体、８０…座部、８１…上面、９０…背もたれ部、９１…空間部、９２…肘掛け部、９３…肘掛け本体、９４…回動支持部。
【図１】
2018019780.tif 000003
【図２】
2018019780.tif 000004
【図３】
2018019780.tif 000005
【図４】
2018019780.tif 000006
【図５】
2018019780.tif 000007
【図６】
2018019780.tif 000008
【図７】
2018019780.tif 000009
【図８】
2018019780.tif 000010
【図９】
2018019780.tif 000011
【図１０】
2018019780.tif 000012
【図１１】
2018019780.tif 000013
【図１２】
2018019780.tif 000014
【図１３】
2018019780.tif 000015
【図１４】
2018019780.tif 000016
【図１５】
2018019780.tif 000017
【図１６】
2018019780.tif 000018